(57)【要約】【課題】内容物容器の交換作業を容易に行なうことができ、かつ内容物の注出作業を簡便に行なうことができる容器装置を提供する。【解決手段】容器装置１０は、囲い体２０と、囲い体２０に配置された紙製内容物容器１２と、囲い体２０に装着されるキャップ保持体１５とを備えている。キャップ保持体１５は、天板１３と、天板１３に設けられた上方筒状部１６および下方筒状部１７とを有している。キャップ保持体１５の上方筒状部１６には、上下方向に移動する操作ヘッド３４を有するディスペンサ３０が装着され、下方筒状部１７は内容物容器１２の開口１２ａ内に挿着されている。【選択図】図１
2009067416.tif 000002
【特許請求の範囲】
【請求項１】
囲い体と、
囲い体内に配置されるとともに、上面を有する内容物容器と、
天板と、内容物容器内に挿入される筒状部とを有し、囲い体に装着されたキャップ保持体と、
を備えたことを特徴とする容器装置。
【請求項２】
筒状部は天板より下方に延びる下方筒状部と、天板より上方へ延びる上方筒状部とからなることを特徴とする請求項１記載の容器装置。
【請求項３】
上方筒状部にディスペンサを装着したことを特徴とする請求項２記載の容器装置。
【請求項４】
上方筒状部に密閉キャップを装着したことを特徴とする請求項２記載の容器装置。
【請求項５】
上方筒状部に定量キャップを装着したことを特徴とする請求項１記載の容器装置。
【請求項６】
内容物容器およびキャップ保持体の筒状部のうち、一方は軟質材からなり、他方は硬質材からなることを特徴とする請求項１記載の容器装置。
【請求項７】
キャップ保持体は、天板から下方へ延び、囲い体の上部に係合する肩部を有することを特徴とする請求項１記載の容器装置。
【請求項８】
キャップ保持体は、天板から下方へ延びる肩部と、肩部から下方へ延びて囲い体に連結された脚部を更に有することを特徴とする請求項１記載の容器装置。
【請求項９】
囲い体は、底面と、底面から上方に延びる側面とを有することを特徴とする請求項１記載の容器装置。
【請求項１０】
囲い体は、複数部分に分割自在となることを特徴とする請求項１記載の容器装置。
【請求項１１】
囲い体の底面に内容物容器を固定する固定手段を設けたことを特徴とする請求項１記載の容器装置。
【請求項１２】
固定手段は、内容物容器の底部外方に当接して内容物容器を固定することを特徴とする請求項１１記載の容器装置。
【請求項１３】
内容物容器の底部には凹部が形成され、固定手段は内容物容器の凹部に内方から当接して内容物容器を固定することを特徴とする請求項１１記載の容器装置。
【発明の詳細な説明】
【技術分野】
【０００１】
本発明は、シャンプー、リンス等の内容物を収納する容器装置およびそのキャップ保持体に関する。
【背景技術】
【０００２】
従来より内容物を収納するとともにディスペンサ機能を有する容器装置として、外容器と、内容物が充てんされた内容器と、ディスペンサとを有する詰め替え容器装置が開発されている。
【０００３】
このような容器装置は、内容物がなくなった場合、内容器のみを交換すれば良いので、容器装置全体を廃棄する必要はなく、廃棄物公害を防止することができる。
【発明の開示】
【発明が解決しようとする課題】
【０００４】
上述のように廃棄物公害を防止する容器装置が開発されているが、容器の交換作業および内容物の注出作業をよりスムースに行なうことができる容器装置は未だ開発されていないのが実情である。
【０００５】
本発明はこのような点を考慮してなされたものであり、容器の交換作業および注出作業を容易に行なうことができる容器装置およびそのキャップ保持体を提供することを目的とする。
【課題を解決するための手段】
【０００６】
本発明は、囲い体と、囲い体内に配置されるとともに、上面を有する内容物容器と、天板と、内容物容器内に挿入される筒状部とを有し、囲い体に装着されたキャップ保持体と、を備えたことを特徴とする容器装置である
本発明は、筒状部は天板より下方に延びる下方筒状部と、天板より上方へ延びる上方筒状部とからなることを特徴とする容器装置である。
【０００７】
本発明は、上方筒状部にディスペンサを装着したことを特徴とする容器装置である。
【０００８】
本発明は、上方筒状部に密閉キャップを装着したことを特徴とする容器装置である。
【０００９】
本発明は、上方筒状部に定量キャップを装着したことを特徴とする容器装置である。
【００１０】
本発明は、内容物容器およびキャップ保持体の筒状部のうち、一方は軟質材からなり、他方は硬質材からなることを特徴とする容器装置である。
【００１１】
本発明は、キャップ保持体は、天板から下方へ延び、囲い体の上部に係合する肩部を有することを特徴とする容器装置である。
【００１２】
本発明は、キャップ保持体は天板から下方へ延びる肩部と、肩部から下方へ延びて囲い体に連絡された脚部を更に有することを特徴とする容器装置である。
【００１３】
本発明は、囲い体は底面と、底面から上方に延びる側面を有することを特徴とする容器装置である。
【００１４】
本発明は、囲い体は、複数部分に分割自在となることを特徴とする容器装置である。
【００１５】
本発明は、囲い体の底面に内容物容器を固定する固定手段を設けたことを前提とする容器装置である。
【００１６】
本発明は、固定手段は内容物容器の底部外方に当接して内容物容器を固定することを特徴とする容器装置である。
【００１７】
本発明は、内容物容器の底部には凹部が形成され、固定手段は内容物容器の凹部に内方から当接して内容物容器を固定することを特徴とする容器装置である。
【発明の効果】
【００１８】
以上のように本発明によれば、容器装置の内容物容器を容易かつ簡単に交換することができる。また内容物容器にキャップ保持体を装着することにより、このキャップ保持体にディスペンサ、あるいは他の密閉キャップを取付けることができる。
【発明を実施するための最良の形態】
【００１９】
第１の実施の形態
以下、図面を参照して本発明の実施の形態について説明する。
【００２０】
図１乃至図６は本発明による容器装置の第１の実施の形態を示す図である。
【００２１】
図１乃至図７に示すように、容器装置１０は、底面２０ａと側面２０ｂを有する囲い体２０と、囲い体２０内に配置され、円形状開口１２ａが形成された上面１２ｂと側面１２ｃとを有し、内容物としてシャンプーが充てんされた紙製の円筒状内容物容器１２と、囲い体２０の側面２０ｂ上部に装着された円形状のキャップ保持体１５とを備えている。
【００２２】
このうち、キャップ保持体１５は、プラスチック製となっており、囲い体２０の側面２０ｂ上部に載置される天板１３と、天板１３から下方に延びる肩部１４とを有している。そしてキャップ保持体１５は肩部１４を囲い体２０の側面２０ｂ上部に係合させることにより囲い体２０に装着される。
【００２３】
またキャップ保持体１５は天板１３から上方へ延びる円形の上方筒状部１６と、天板１１から下方へ延びる円形の下方筒状部１７とを有し、これら上方筒状部１６と下方筒状部１７とから筒状部１６，１７が構成されている。。さらに上方筒状部１６にディスペンサ３０が取付けられ、下方筒状部１７は内容物容器１２の上面１２ｂに形成された円形状開口１２ａ内に挿着されている。
【００２４】
また囲い体２０の底面２０ａの周縁には、内方へ突出する周縁突部３０が全周にわたって形成され、また内容物容器１２の底部１２ｄには内側へ引込む凹部３５が形成されている。囲い体２０の周縁突部３０は内容物容器１２の底部１２ｄに外方から当接し、内容物容器に固定する固定手段として機能する。
【００２５】
次にディスペンサ３０について、図３により説明する。ディスペンサ３０は内キャップ１５の上方筒状部１６に固定される保持体３１と、保持体３１から下方へ延びるタンク３２と、保持体３１およびタンク３２を貫通して摺動自在に設けられたステム（図示せず）とを有し、ステム３５の上部に操作ヘッド３４が取付けられている。この場合、ディスペンサ３０の保持体３１は上方筒状部１６の外ねじ１６ａにねじ込み固定される。
【００２６】
また操作ヘッド３４を上下方向に移動させることにより、内容物容器１２内の内容物がノズル３３を経てタンク３２へ送られ、その後タンク３２から操作ヘッド３４の注出口３４ａから外方へ注出される。
【００２７】
次に各構成部材について更に説明する。キャップ保持体１５の下方筒状部１７は下端１７ａに向って徐々に外径が小さくなっている。下方筒状部１７は内容物容器１２の開口１２ａ内に挿着されるが、開口１２ａに対応する下方筒状部１７の部分の外径をφＡとした場合、内容器１２の開口１２ａは当初φＡ−０．５ｍｍ程度となっており、下方筒状部１７側の外径が内容物容器１２の開口１２ａより大きくなって開口１２ａ内に下方筒状部１７ａを密封して挿着することができるようになっている。また使い置き時に容器装置が転倒した場合にも、不容易に内容物容器１２内の内容物が漏れ出しにくい構造となっている。
【００２８】
また図４に示すように、下方筒状部１７の下端（先端）１７ａを、その軸線に対して傾斜させてもよい（図４（ａ））。このように下方筒状部１７の下端１７ａを傾斜させるとともに、下方筒状部１７の外径を下端１７ａに向って小さくすることにより、下方筒状部１７を内容物容器１２の開口１２ａに対して単に押込むだけで容易に挿着することができ、かつ、キャップ保持体１５を内容物容器１２に回転させながら装着する場合に、内容物容器１２の開口１２ａに下方筒状部１７を無理なく回転して装着することができる。
【００２９】
なお、下方筒状部１７の下端１７ａに、多数の凹凸形状を形成し、下方筒状部１７を開口１２ａ内に挿入し易くしてもよい（図４（ｂ））。また下方筒状部１７の下端１７ａに一対の凸部を形成して、下方筒状部１７を開口１２ａに挿入し易くしてもよい（図４（ｃ））。
【００３０】
またディスペンサ３０のタンク３２には空気穴（図示せず）が設けられており、この空気穴と内容物容器１２内とを連通させるため、下方筒状部１７とタンク３２との間には間隙が形成されている。
【００３１】
次にこのような構成からなる本実施の形態の作用について説明する。
【００３２】
図１に示すように、まずキャップ保持体１５の上方筒状部１６に、ディスペンサ３０の保持体３１を装着する。この場合、上方筒状部１６の外ねじ１６ａに保持体３１をねじ込むことにより、保持体３１を上方筒状部１６に固定することができる。
【００３３】
その後、内容物容器１２の開口１２ａを覆うプルタブ（図示せず）を取外し、内容物容器１２を囲い体２０内に収納する。その後、開口１２ａ内にキャップ保持体１５の下方筒状部１７を挿着するとともに、キャップ保持体１５を囲い体２０上に被せ、キャップ保持体１５の肩部１４を囲い体２０の側面２０ｂ上部に嵌合する。この場合、囲い体２０の側面２０ｂに肩部１４をねじ係合させてもよい。
【００３４】
このようにして囲い体２０にキャップ保持体１５を堅固に固定することができる。同時に内容物容器１２は、その底部１２ｄが周縁突部３０に当接することにより、囲い体２０の底部に堅固に固定される。この場合、キャップ保持体１５と囲い体２０によって内容物容器１２が堅固に保持される。
【００３５】
使用に際しては、ディスペンサ３０の操作ヘッド３４を押圧することにより、操作ヘッド３４が上下方向へ移動し、内容物容器１２内の内容物がノズル３３を経てタンク３２へ送られ、その後内容物がタンク３２から操作ヘッド３４の注出口３４ａを経て外方へ注出される。
【００３６】
内容物容器１２内の内容物が消費された場合は、上述と逆の作用により囲い体２０からキャップ保持体１５を取外し、囲い体２０内から内容物容器１２を取り出す。次に新しい内容物容器１２を囲い体２０内に収納した後、囲い体２０に再びキャップ保持体１５を装着する。使用後の内容物容器１２は、その後廃棄されるが、内容物容器１２が紙製となっているので、内容物容器１２をそのまま廃棄することができる。
【００３７】
以上のように本実施の形態によれば、内容物容器１２の交換作業および内容物の注出作業を容易且つ簡単に行なうことができる。
【００３８】
ところで、内容物容器１２として円筒状のものについて説明したが、内容物容器１２として四角筒状のものを用いるとともに、キャップ保持体１５として四角形のものを用いてもよい。
【００３９】
また、内容物容器１２の開口１２ａは、内容物容器１２の上面１２の中心に配置してもよく、中心からずれた位置に配置してもよい。
【００４０】
さらに、内容物容器１２として紙製のものを用い、キャップ保持体１５としてプラスチック製のものを用い、内容物容器１２をキャップ保持体１５より軟質の材料で形成して、キャップ保持体１５の下方筒状部１７と内容物容器１２の開口１２ａとの密封性を高めるようにした例を示したが、内容物容器１２とキャップ保持体１５をいずれもプラスチック製とするとともに、内容物容器１２をキャップ保持体１５より硬質の材料から形成して、キャップ保持体の下方筒状部１７と内容物容器１２の開口１２ａとの密封性を高めてもよい。
【００４１】
また、内容物容器１２に予め開口１２ａを設けた例を示したが、予め内容物容器１２に開口１２ａを設けることなく、内容物容器１２にキャップ保持体１５を装着する際、キャップ保持体１５の下方筒状部１７によって内容物容器１２の上面１２ｂを突き刺して開口１２ａを形成してもよい。この場合、図４（ｂ）（ｃ）に示すような下端１７ａの形状を有する下方筒状部１７を用いることにより、内容物容器１２の上面１２ｂを容易に突き刺して開口１２ａを形成することができる。
【００４２】
さらに、キャップ保持体１５の上方筒状部１６には、ディスペンサ３０の代わりに、密閉定量キャップ４０を装着してもよく（図６）、またヒンジ４１ａ付きの密閉ヒンジキャップ４１を装着してもよい（図７）。
【００４３】
第２の実施の形態
次に図７乃至図１１により、本発明の第２の実施の形態について説明する。
【００４４】
図７乃至図１１に示す第２の実施の形態は、囲い体２０の固定手段の構成が異なるのみであり、他は図１乃至図６に示す第１の実施の形態と略同一である。
【００４５】
図７乃至図１１において、図１乃至図６に示す第１の実施の形態と同一部分には同一符号を符して詳細な説明は省略する。
【００４６】
図７および図８に示すように、周縁突部３０を設ける代わりに、囲い体２０の底面２０ａの周縁に内方へ突出する複数の突出リブ３１を設け、この突出リブ３１を内容物容器１２の底部１２ｄに外方から当接させて内容物容器１２を固定させてもよい。
【００４７】
さらに図９および図１０に示すように、周縁突部３０を設ける代わりに、囲い体２０の底面２０ａの周縁に内方へ突出する複数の突起３２を設け、この突起３２を内容物容器１２の底部１２ｄに外方から当接させて内容物容器１２を固定させてもよい。
【００４８】
次に図１１により、図９および図１０に示す容器装置の変形例について説明する。図１１に示す変形例は、キャップ保持体１５が筒状部１６、１７を有するとともに、この筒状部１６、１７が天板１３にフランジ１５ａを介して取り付けられている点が異なるのみであり、他は図９および図１０に示す容器装置１０と略同一である。この場合、筒状部１６、１７およびフランジ１５ａと、天板１３とを別パーツに形成することができる。
【００４９】
第３の実施の形態
次に図１２乃至図１５により、本発明の第３の実施の形態について説明する。図１２に示す実施の形態は、内容物容器１２およびキャップ保持体１５として四角形状のものを用いるとともに、囲い体２０を底面２０ａと、底面２０ａから上方に短く延びる側面２０ｂと、側面２０ｂから更に上方に延び内容物容器１２の四隅に外方から係合する４本の脚部２０ｃとから構成したものである。
【００５０】
図１２において、他の構成は図１乃至図６に示す第１の形態および図７乃至図１に示す第２の実施の形態と略同一である。図１２において、図１乃至図６に示す第１の実施の形態および図７乃至１１に示す第２の実施の形態と同一部分には同一符号を符して詳細な説明は省略する。
【００５１】
図１２において、囲い体２０には突出リブ３１等の固定手段が設けられ、内容物容器１２を固定している。
【００５２】
次に図１３により、本発明の変形例について説明する。図１３に示す変形例において、内容物容器１２およびキャップ保持体１５としては、四角筒状の内容物容器１２と四角筒状のキャップ保持体１５が用いられている。このうちキャップ保持体１５は、四角筒状の内容物容器１２の上面１２ｂに配置される四角状天板１３と、天板１３から下方へ延びて内容物容器１２の側面１２ｃ上部に係合する肩部１４と、肩部１４から下方へ延びて内容物容器１２の四隅に外方から係合する４本の脚部１９とを有している。
【００５３】
また、図１３において、囲い体２０は底面２０ａと、底面２０ａから上方へ短く延びる側面２０ｂとを有している。囲い体２０の側面２０ｂは、キャップ保持体１５の脚部１９に嵌合し、このようにして囲い体２０とキャップ保持体１５とによって内容物１２を保持することができる。
【００５４】
囲い体２０の底面２０ａには、内容物容器１２を固定するための突出リブ３１が設けられている。
【００５５】
次に図１４により本発明の変形例について説明する。図１４に示す変形例において、内容物容器１２およびキャップ保持体１５は、いずれも四角筒形状を有している。
【００５６】
また囲い体２４は、底面２５ａと側面２５ｂとからなる下方部分２５と、下方部分２５から上方へ延びキャップ保持体１５の肩部１４内に嵌込まれる４本の脚部２７とからなっている。また囲い体２４の底面２５ａには、内容物容器１２を固定するための突出リブ３１が設けられている。
【００５７】
次に図１５により本発明の更なる変形例について説明する。
【００５８】
図１５に示すように、囲い体２４は垂直面に沿って２つに分割された一対の部分２８，２８からなり、各々の部分２８は内容物容器１２を支持する底面２８ａと、内容物容器１２の側面１２ｃを密着して囲む側面２８ｂとを有している。一対の部分２８，２８を組合わせることにより、円筒状の内容物容器１２の外形と略同一形状を有する円筒状の囲い体２４を得ることができる。囲い体２４は、円筒状のキャップ保持体１５の肩部１４に嵌込まれ、キャップ保持体１５と囲い体２４とによって内容物容器１２を堅固に保持することができる。
【００５９】
また囲い体２４の底面２８ａには、内容物容器１２を固定するための突出リブ３１が設けられている。
【００６０】
第４の実施の形態
次に図１７乃至図２１により本発明の第４の実施の形態について説明する。
【００６１】
図１７乃至図２１に示す第４の実施の形態において、内容物容器を固定するための固定手段の構成が異なるのみであり、他は図１乃至図６に示す第１の実施の形態、および図７乃至図１１に示す第２の実施の形態と略同一である。
【００６２】
図１７乃至図２１において、図１乃至図６に示す第１の実施の形態、および図７乃至図１１に示す第２の実施の形態と同一部分には同一符号を符して詳細な説明は省略する。
【００６３】
図１０乃至図１７に示す容器装置１０において内容物容器にはその底部１２ｄに凹部３５が形成されている。また囲い体２０の底面２０ａには、周縁方向に延びる周縁突起部３３が設けられ、この周縁突部３３が内容物容器１２の凹部３５に内方から当接することにより内容物容器１２が囲い体２０内で固定される。
【００６４】
次に図１８および図１９により本発明の変形例について説明する。
【００６５】
囲い体２０の底面２０ａには周縁方向に４本の突出リブ３１が設けられ、この突出リブ３１が内容物容器１２のの凹部３５に内方から当接することにより、内容物容器１２が囲い体２０内に固定される。
【００６６】
次に合う２０および図２１により、本発明の変形例について説明する。囲い体２０の底面２０ａには上方へ持ち上げられた上げ底部３７が設けられ、この上げ底部３７が内容物容器１２の凹部３５に内方から当接することにより、内容物容器１２が囲い体２０内に固定される。
【図面の簡単な説明】
【００６７】
【図１】本発明の第１の実施の形態による容器装置を示す斜視図。
【図２】図１に示す容器装置の側断面図。
【図３】ディスペンサを示す斜視図。
【図４】下方筒状部を示す図。
【図５】密閉定量キャップを示す斜視図。
【図６】密閉ヒンジキャップを示す斜視図。
【図７】本発明の第２の実施の形態による容器装置を示す斜視図。
【図８】図７に示す容器装置の側断面図。
【図９】本発明による容器装置の変形例を示す斜視図。
【図１０】図９に示す容器装置の側断面図。
【図１１】本発明による容器装置の変形例を示す側断面図。
【図１２】本発明の第３の実施の形態による容器装置を示す斜視図。
【図１３】容器装置の変形例を示す斜視図。
【図１４】容器装置の変形例を示す斜視図。
【図１５】容器装置の変形例を示す斜視図。
【図１６】本発明の第４の実施の形態による容器装置を示す斜視図。
【図１７】図１６に示す容器装置の側断面図。
【図１８】容器装置の変形例を示す斜視図。
【図１９】図１８に示す容器装置の側断面図。
【図２０】容器装置の変形例を示す斜視図。
【図２１】図２０に示す容器装置の側断面図。
【符号の説明】
【００６８】
１０  容器装置
１２  内容物容器
１２ａ  開口
１２ｂ  上面
１２ｃ  側面
１３  天板
１４  肩部
１５  キャップ保持体
１６  下方筒状部
１７  上方筒状部
１８  側板
１９  脚部
２０  囲い体
２０ａ  底面
２０ｂ  側面
２０ｃ  脚部
２４  囲い体
２５  下方部
２６  側方部
２８  一対の部分
３０  周縁突部
３１  突出リブ
３２  突起
３３  周縁突起
３４  突出リブ
３７  上げ底部
【図１】
2009067416.tif 000003
【図２】
2009067416.tif 000004
【図３】
2009067416.tif 000005
【図４】
2009067416.tif 000006
【図５】
2009067416.tif 000007
【図６】
2009067416.tif 000008
【図７】
2009067416.tif 000009
【図８】
2009067416.tif 000010
【図９】
2009067416.tif 000011
【図１０】
2009067416.tif 000012
【図１１】
2009067416.tif 000013
【図１２】
2009067416.tif 000014
【図１３】
2009067416.tif 000015
【図１４】
2009067416.tif 000016
【図１５】
2009067416.tif 000017
【図１６】
2009067416.tif 000018
【図１７】
2009067416.tif 000019
【図１８】
2009067416.tif 000020
【図１９】
2009067416.tif 000021
【図２０】
2009067416.tif 000022
【図２１】
2009067416.tif 000023